(57)【要約】      （修正有）【課題】従来のファスナーは、その開閉が老人・子供では困難であった、ファスナーを締めるときの困難な位置だ市を簡単にして、老人・子供でも開閉が出来るファスナーを提供する。【解決手段】ファスナーのスライダー部分とロックする部分「位置だし部」左右に分割して、磁石とフックにより、開閉を簡単にしたことを特徴とする。【選択図】図１
2005246006.tif 000002
【特許請求の範囲】
【請求項１】
スライダ−部分とロックする部分を左右に分割して、それを磁石とフックにより、左右を合わせたり離したりできる、ファスナ−。
【発明の詳細な説明】
【技術分野】
【０００１】  この発明は、スライダ−部分を左右に分割して、それを磁石とフックにより合わせたり離したりできる、ファスナ−に関するものである。
［背景技術］【０００２】  従来のファスナ−は、片側にスライダ−本体がついており、ファスナ−を締めるときには、スライダ−とファスナ−下部のロックする部分［位置だし部］とを重ねて、相方のファスナ−の下部の端を、スライダ−本体を貫いてロックする部分［位置だし部］へ差し込まねばならなかった。
［発明の開示］
［発明が解決しようとする課題］【０００３】  これはつぎのような問題点があった。
スライダ−本体とロックする部分［位置だし部］が、きちんと重なっていなかったり、また重なっていても、相方の差込みが不十分だとファスナ−を締める事ができなかった。
そのために、多くのお年寄り及び指先の感覚や力の衰えた人には、ファスナ−を締める、はずす、と云う動作が困難であった。
本発明は、以上のような欠点をなくすためになされたものである。
［課題を解決するための手段］【０００４】  ファスナ−のスライダ−部分を分割して独立させた。
又ロックする部分［位置だし部］も同じように作り、その左右に分けた部分を、磁石とフックにより合わせたり、離したりできるようにした、ファスナ−である。
［発明の効果］【０００５】  ファスナ−のスライダ−部分とロック部分を分割して、磁石とフックを使用することにより左右のスライダ−が一番下に下りていれば、ファスナーの最下部を合わせるだけで、噛み合わせの位置だしとロックができ、簡単にファスナ−を締められる。
又磁石とフックをはずせば、上からでも下からでも、ワンタッチでパッとファスナ−を開く事ができる。
このファスナ−を使用すれば、上着の新しいファションも考案されるだろう。
［発明を実施するための最良形態］【０００６】  この製品の試作では、従来あるファスナ−のスライダ−を半分に削り、左右を作りそれに、瞬間接着剤で磁石と銅板を加工したフックのオス．メスを作り、接着したものであるが、十分稼動した。
使用する磁石は、円形で同じ大きさが、ずれづにピッタリ重なる。
実際の製品は、従来あるファスナ−のスライダ−と同じように、鋳型でアルミ合金に磁石を埋め込んだ左右のスライダ−を作れば良い。
又形状も図面［図１］では、従来のファスナ−をモデルにしたが、本発明の構造上、外形も四角、丸、ハ−ト形、花形、などスライタ−とロック部分を一体かするようなデザインが扱いやすく良いだろう。
【図面の簡単な説明】
【０００７】  ［図１］本発明の斜視図である。
［図２］本発明の左右をずらしたスライダ−の斜視図である。
［図３］本発明の左右をずらしたロック部の斜視図である。
【符号の説明】
【０００８】  １  スライダ−右側
２  スライダ−左側
３  スライダ−右側フック部
４  スライダ−左側フック部
５  スライダ−右側磁石
６  スライダ−左側磁石
７  スライダ−引き手
８  ロック部右側
９  ロック部左側
１０  ロック部右側のフック
１１  ロック部左側のフック
１２  ロック部右側の磁石
１３  ロック部左側の磁石
１４  ファスナ−の布部
【図１】
2005246006.tif 000003
【図２】
2005246006.tif 000004
【図３】
2005246006.tif 000005
【手続補正書】
【提出日】平成17年3月3日(2005.3.3)
【手続補正１】
【補正対象書類名】特許請求の範囲
【補正対象項目名】請求項１
【補正方法】変更
【補正の内容】
【請求項１】
スライダー部分と開き金具部分を同じ形状で左右に分割して、スライダーと開き金具も一体化できる構造・形態に創り、同じ円周の円形磁石を埋め込み、フック兼用にした磁石により、ワンタッチで左右を合わせたり離したりできる、スライドファスナー
【手続補正２】
【補正対象書類名】明細書
【補正対象項目名】全文
【補正方法】変更
【補正の内容】
【発明の詳細な説明】
【技術分野】
【０００１】  この発明は、左右に分割したスライダーと開き金具を、一体化できる構造・形態に創り、同じ円周の円形磁石を埋め込み、フック兼用にした磁石により、ワンタンチで左右を合わせたり離したりできる、スライドファスナーに関するものである。
【背景技術】
【０００２】  従来のスライドファスナーは、片側にスライダー本体が付いており、スライドファスナーを締めるときには、スライダーとファスナーテープ下部の開き金具の箱部分とを重ねて、相方のファスナーテープ下部の蝶棒を、スライダー本体を貫いて開き金具の箱部分へ差し込み、スライダーを引き上げてスライドファスナーを締めるものであった、そのために、多くのお年寄りや小さな子供たち、及び、指先の感覚や力の衰えた人には、スライドファスナーを締めると云う、動作が困難であった。
【発明の開示】
【発明が解決しようとする課題】
【０００３】  これはつぎのような問題点があった、スライダー本体と開き金具の箱部分が、きちんと重なっていなかったり又重なっていても相方の蝶棒の差込が不十分だと、スライドファスナーを締める事ことができなかった、本発明は、以上のような欠点をなくすためになされたものである。
【課題を解決するための手段】
【０００４】  試作段階では、従来からある市販のスライドファスナーのスライダーを、半分に削って左右を作り、銅板を加工してフックのオス・メスを作って、半分のスライダーと自作の開き金具に、接着剤で磁石とフックを取り付けた、始めは四角い形状の磁石を使って、実験をしたが納得いく物にならず、「同じ円周の円形磁石が、Ｓ極とＮ極を合せたときに、二つの磁石は円周が少しもずれずに重なり合う」特性に気付き試したら、スライダー部分も開き金具の部分もピッタリと、位置が決まりうまく行ったので、もっとスマートに出来ないかと考え、スライダーと開き金具を一体化するように、構造・形態を考案しデザインした、スライダー部分と開き金具部分を同じ形状で左右に分割して、半分にしたスライダー部分と開き金具部分を同じように作り、左右が重なり合う面に極性を換えて、同じ円周の円形磁石を埋め込み、磁石の厚みで噛み合う度合いを調整して凹凸を作り、フック兼用の構造・形態にして、その左右に分けた部分を、合せたり離したりできるようにした、スライドファスナーを創った。
【発明の効果】
【０００５】  スライダー部分と開き金具部分を分割して、スライダーと開き金具を一体化できる様に作り、フック兼用の磁石を使用する事により、左右のスライダーがファスナーテープの開き金具のところまで下りていれば、左右のスライダー部分を重ねる様にするだけで、開き金具の部分も自ら一体となり、噛み合わせの位置だしとロックが自然にでき、目を瞑っていても、簡単にスライドファスナーを締められ、スライダー部分か開き金具の部分をはずせば、上からでも下からでも、ワンタッチでパッとスライドファスナーを開く事ができ、お年寄りや小さな子供たちでもスムーズに、簡単に扱えるスライドファスナーなった。
【発明を実施するための最良形態】
【０００６】  実際の製品は、従来のスライドファスナーと同じように、鋳型・プラ型で作った、アルミ合金、及び、硬質プラスチックに、円形磁石を埋め込んだ、左右のスライダーと開き金具を作れば良く、量産も可能であり、新しいファッションとしても生かされれば、産業的にも貢献できるのではないかと思う、本発明の構造上、外形も四角、丸、ハート型、花形、などスライダーと開き金具を一体化するようなデザインが扱いやすく良いだろう。
【図面の簡単な説明】
【０００７】
【図１】  本発明の斜視図である。
【図２】  本発明の左右をずらしたスライダーの斜視図である。
【図３】  本発明の左右をずらした開き金具の斜視図である。
【符号の説明】
【０００８】  １  スライダー右側
２  スライダー左側
３スライダー引き手取り付け穴
４  スライダー右側磁石凸部
５  スライダー右側磁石凹部
６  スライダー左側磁石凹部
７  スライダー左側磁石凸部
８  開き金具右側
９  開き金具左側
１０  開き金具右側磁石凸部
１１  開き金具右側磁石凹部
１２  開き金具左側磁石凹部
１３  開き金具左側磁石凸部
１４  ファスナーテープに、開き金具を取り付けて固定するための溝
【手続補正３】
【補正対象書類名】図面
【補正対象項目名】全図
【補正方法】変更
【補正の内容】
【図１】
2005246006.tif 000006
【図２】
2005246006.tif 000007
【図３】
2005246006.tif 000008
【手続補正書】
【提出日】平成17年5月23日(2005.5.23)
【手続補正１】
【補正対象書類名】特許請求の範囲
【補正対象項目名】請求項１
【補正方法】変更
【補正の内容】
【請求項１】
スライダー部分とロックする部分「位置だし部」を左右に分割して、それを磁石とフックにより、左右を合せたり離したりできる、ファスナー。
【手続補正２】
【補正対象書類名】明細書
【補正対象項目名】全文
【補正方法】変更
【補正の内容】
【発明の詳細な説明】
【技術分野】
【０００１】この発明は、スライダー部分とロックする部分「位置出し部」を左右に分割して、それを磁石とフックにより合せたり離したりできる、ファスナーに関するものである。
【背景技術】
【０００２】従来のファスナーは、片側にスライダー本体がついており、ファスナーを締めるときには、スライダーとファスナー下部のロックする部分「位置だし部」とを重ねて、相方のファスナー下部の端を、スライダー本体を貫いてロックする部分「位置だし部」へ差し込まねばならなかった、そのために、多くのお年寄り及び指先の感覚や力の衰えた人には、ファスナーを締める、という動作が困難であった。
【発明の開示】
【発明が解決しょうとする問題】
【０００３】これは次のような問題点があった、スライダー本体とロックする部分「位置だし部」がきちんと重なっていなかったり、また重なっていても相方のファスナー下部の端の、差込が不十分だとファスナーを締める事ができなかった、本発明は、以上のような欠点をなくすためになされたものである。
【課題を解決するための手段】
【０００４】ファスナーのスライダー部分を分割して独立させ、ロックする部分「位置だし部」も同じように作り、その左右に分けた部分を合せたり離したりできるようにした、この製品の試作では、従来からある市販のファスナーのスライダーを半分に削って左右を作り、ロックする部分「位置だし部」も同じようにして、磁石と銅板を加工したフックのオス・メスを接着した、使用する磁石は円形で同じ大きさが、ずれずにピッタリ重なる。
【発明の効果】
【０００５】ファスナーのスライダー部分とロックする部分「位置だし部」を分割して、磁石とフックを使用することにより、左右のスライダーが一番下に下りていれば、ファスナーの最下部を合せるだけで噛み合わせの位置だしとロックができ、簡単にファスナーを締められる、また磁石とフックをはずせば、上からでも、下からでも、ワンタッチでパッとファスナーを開くことが出来る、このファスナーを使用すれば、上着の新しいファッションも考案されるだろう。
【発明を実施するための最良の形態】
【０００６】実際の製品は、従来あるファスナーと同じように鋳型で磁石を埋め込んだ左右のスライダー部分とロックする部分「位置だし部」を作れば良い、また形状も図面では、従来のファスナーをモデルにしたが、本発明の構造上、外形も四角・丸・ハート形・花形などスライダー部分とロックする部分「位置だし部」を一体化するようなデザインが扱いやすく良いだろう。
【図面の簡単な説明】
【０００７】
【図１】本発明の斜視図である。
【図２】本発明の左右をずらしたスライダー部分の斜視図である。
【図３】本発明の左右をずらしたロックする部分の斜視図である。
【符号の説明】
【０００８】  １  スライダー右側
２  スライダー左側
３  スライダー右側フック
４  スライダー左側フック
５  スライダー右側磁石
６  スライダー左側磁石
７  スライダー引き手
８  ロック部右側
９  ロック部左側
１０  ロック部右側のフック
１１  ロック部左側のフック
１２  ロック部右側磁石
１３  ロック部左側磁石
１４  ファスナーの布部
【手続補正３】
【補正対象書類名】図面
【補正対象項目名】全図
【補正方法】変更
【補正の内容】
【図１】
2005246006.tif 000009
【図２】
2005246006.tif 000010
【図３】
2005246006.tif 000011